(57)【要約】【課題】所望の画像編集条件による画像編集処理を迅速且つ容易に行うことができる画像編集処理装置、電子カメラ、画像編集処理システム、画像編集処理方法を提供する。【解決手段】元画像４２を複数の画像編集条件で編集した場合の複数のサンプル画像４７Ａ〜４７Ｅをテレビ等の画素数の多い表示画面２７上にサンプル画像４７Ａ〜４７Ｅよりも大きい表示サイズの確認用画像４６と共に選択可能な表示態様で横並びに重畳表示させ、それらの中から選択したサンプル画像４７Ａ〜４７Ｅを記録用画像としてメモリカード等の記録媒体に記録させる。【選択図】図７
2010213216.tif 000002
【特許請求の範囲】
【請求項１】
画像編集処理を施す対象である元画像を複数の画像編集条件により編集した複数の編集画像を少なくとも含む表示用画像を生成する画像生成部と、
前記表示用画像を表示可能な第１の表示画面と、
前記表示用画像を表示可能な表示画面であって且つ前記第１の表示画面とは異なる第２の表示画面を有する外部の表示装置との間で情報通信可能な通信部と、
前記表示装置における前記第２の表示画面の画素数を判別する判別部と、
前記判別部により判別された前記第２の表示画面の画素数に基づき前記第２の表示画面に表示させる表示用画像に含める前記複数の編集画像の数を制御する編集制御部と、
前記通信部を介して前記表示装置の前記第２の表示画面での前記表示用画像の表示状態を制御する表示制御部と
を有することを特徴とする画像編集処理装置。
【請求項２】
請求項１に記載の画像編集処理装置において、
前記画像生成部は、少なくとも前記複数の編集画像と前記元画像とを含む表示用画像を生成することを特徴とする画像編集処理装置。
【請求項３】
請求項１または請求項２に記載の画像編集処理装置において、
前記編集制御部は、前記判別部により判別された前記表示装置における前記第２の表示画面の画素数が前記第１の表示画面の画素数よりも多い場合、前記第２の表示画面に表示させる表示用画像に含める編集画像の数を、前記第１の表示画面に表示させる表示用画像に含める編集画像の数よりも多くさせることを特徴とする画像編集処理装置。
【請求項４】
請求項１〜請求項３のうち何れか１項に記載の画像編集処理装置において、
前記表示制御部は、前記表示用画像に含まれる前記複数の編集画像を択一的に選択可能な表示態様で前記第２の表示画面に表示させ、前記各編集画像のうちから確認用画像として選択された一つの編集画像を前記各編集画像が択一的に選択可能な表示態様で表示された場合の表示サイズよりも大きいサイズで表示させると共に、前記確認用画像として大きいサイズで表示された一つの編集画像に他の編集画像を重畳させて表示させることを特徴とする画像編集処理装置。
【請求項５】
請求項１〜請求項３のうち何れか１項に記載の画像編集処理装置において、
前記編集画像を記録用画像として記録媒体へ記録させる記録制御部を更に有し、
前記表示制御部は、前記表示用画像に含まれる前記複数の編集画像を択一的に選択可能な表示態様で前記第２の表示画面に表示させ、
前記記録制御部は、前記各編集画像のうちから前記記録用画像として選択された編集画像を前記記録媒体へ記録させることを特徴とする画像編集処理装置。
【請求項６】
請求項１〜請求項５のうち何れか１項に記載の画像編集処理装置を備えたことを特徴とする電子カメラ。
【請求項７】
表示装置と画像編集処理装置とを備えてなる画像編集処理システムであって、
前記表示装置は、
画像を表示可能な表示画面と、前記画像編集処理装置との間で情報通信可能な通信部とを有し、
前記画像編集処理装置は、
前記表示装置が有する通信部と情報通信する通信部と、
画像編集処理を施す対象である元画像を複数の画像編集条件により編集した複数の編集画像を少なくとも含む表示用画像を生成する画像生成部と、
前記両通信部を介した情報通信により前記表示装置の前記表示画面の画素数を判別する判別部と、
前記判別部により判別された前記表示画面の画素数に基づき前記表示画面に表示させる表示用画像に含める前記複数の編集画像の数を制御する編集制御部と、
前記両通信部を介した情報通信により前記表示装置の前記表示画面での前記表示用画像の表示状態を制御する表示制御部とを有する
ことを特徴とする画像編集処理システム。
【請求項８】
画像編集処理を施す対象である元画像をそれぞれ異なる画像編集条件により編集した場合の複数の編集画像であって且つ表示画面の画素数に基づいて決定される数に対応した複数の編集画像のうちから記録媒体へ記録するための編集画像を記録用画像として選択可能な表示態様で前記表示画面に表示させ、前記表示画面に表示された複数の編集画像のうちから記録用画像として選択された編集画像を記録媒体に記録させることを特徴とする画像編集処理方法。
【発明の詳細な説明】
【技術分野】
【０００１】
本発明は、撮像した画像に対して画像編集処理を施す画像編集処理装置、電子カメラ、画像編集処理システム、及び画像編集処理方法に関するものである。
【背景技術】
【０００２】
従来、デジタルカメラで撮像した画像を画像編集処理して記録する場合は、所望の画像編集条件により編集処理した場合の複数の編集画像をデジタルカメラの背面側の表示画面に一枚ずつ順送りで表示し、それらの中から記録用画像として選択した一枚の編集画像を記録媒体に記録するようにしていた（例えば、特許文献１参照）。
【先行技術文献】
【特許文献】
【０００３】
【特許文献１】特開２００８−１８７３８１号公報
【発明の概要】
【発明が解決しようとする課題】
【０００４】
ところで、特許文献１に記載の画像編集処理方法では、異なる画像編集条件で編集処理された複数の編集画像がデジタルカメラの背面側の表示画面上に一枚ずつ順送りで全画面表示される。そのため、画像編集条件（編集処理の種類や編集処理の程度）が異なる複数の編集画像同士を同じ表示画面上に同時に表示して見比べることはできなかった。その結果、複数の編集画像の中から記録用画像を選択するに際しては、デジタルカメラにおける背面側の表示画面の表示切り替え動作を頻繁に行うことになってしまい、この点で、画像編集処理に時間がかかっていた。
【０００５】
本発明は、このような事情に鑑みてなされたものであり、その目的は、所望の画像編集条件による画像編集処理を迅速且つ容易に行うことができる画像編集処理装置、電子カメラ、画像編集処理システム、及び画像編集処理方法を提供することにある。
【課題を解決するための手段】
【０００６】
上記目的を達成するために、本発明の画像編集処理装置は、画像編集処理を施す対象である元画像を複数の画像編集条件により編集した複数の編集画像を少なくとも含む表示用画像を生成する画像生成部と、前記表示用画像を表示可能な第１の表示画面と、前記表示用画像を表示可能な表示画面であって且つ前記第１の表示画面とは異なる第２の表示画面を有する外部の表示装置との間で情報通信可能な通信部と、前記表示装置における前記第２の表示画面の画素数を判別する判別部と、前記判別部により判別された前記第２の表示画面の画素数に基づき前記第２の表示画面に表示させる表示用画像に含める前記複数の編集画像の数を制御する編集制御部と、前記通信部を介して前記表示装置の前記第２の表示画面での前記表示用画像の表示状態を制御する表示制御部とを有することを特徴とする。
【０００７】
また、本発明の画像編集処理装置において、前記画像生成部は、少なくとも前記複数の編集画像と前記元画像とを含む表示用画像を生成することを特徴とする。
また、本発明の画像編集処理装置において、前記編集制御部は、前記判別部により判別された前記表示装置における前記第２の表示画面の画素数が前記第１の表示画面の画素数よりも多い場合、前記第２の表示画面に表示させる表示用画像に含める編集画像の数を、前記第１の表示画面に表示させる表示用画像に含める編集画像の数よりも多くさせることを特徴とする。
【０００８】
また、本発明の画像編集処理装置において、前記表示制御部は、前記表示用画像に含まれる前記複数の編集画像を択一的に選択可能な表示態様で前記第２の表示画面に表示させ、前記各編集画像のうちから確認用画像として選択された一つの編集画像を前記各編集画像が択一的に選択可能な表示態様で表示された場合の表示サイズよりも大きいサイズで表示させると共に、前記確認用画像として大きいサイズで表示された一つの編集画像に他の編集画像を重畳させて表示させることを特徴とする。
【０００９】
また、本発明の画像編集処理装置は、前記編集画像を記録用画像として記録媒体へ記録させる記録制御部を更に有し、前記表示制御部は、前記表示用画像に含まれる前記複数の編集画像を択一的に選択可能な表示態様で前記第２の表示画面に表示させ、前記記録制御部は、前記各編集画像のうちから前記記録用画像として選択された編集画像を前記記録媒体へ記録させることを特徴とする。
【００１０】
また、本発明の電子カメラは、上記構成の画像編集処理装置を備えたことを特徴とする。
また、本発明の画像編集処理システムは、表示装置と画像編集処理装置とを備えてなる画像編集処理システムであって、前記表示装置は、画像を表示可能な表示画面と、前記画像編集処理装置との間で情報通信可能な通信部とを有し、前記画像編集処理装置は、前記表示装置が有する通信部と情報通信する通信部と、画像編集処理を施す対象である元画像を複数の画像編集条件により編集した複数の編集画像を少なくとも含む表示用画像を生成する画像生成部と、前記両通信部を介した情報通信により前記表示装置の前記表示画面の画素数を判別する判別部と、前記判別部により判別された前記表示画面の画素数に基づき前記表示画面に表示させる表示用画像に含める前記複数の編集画像の数を制御する編集制御部と、前記両通信部を介した情報通信により前記表示装置の前記表示画面での前記表示用画像の表示状態を制御する表示制御部とを有することを特徴とする。
【００１１】
また、本発明の画像編集処理方法は、画像編集処理を施す対象である元画像をそれぞれ異なる画像編集条件により編集した場合の複数の編集画像であって且つ表示画面の画素数に基づいて決定される数に対応した複数の編集画像のうちから記録媒体へ記録するための編集画像を記録用画像として選択可能な表示態様で前記表示画面に表示させ、前記表示画面に表示された複数の編集画像のうちから記録用画像として選択された編集画像を記録媒体に記録させることを特徴とする。
【発明の効果】
【００１２】
本発明によれば、所望の画像編集条件による画像編集処理を迅速且つ容易に行うことができる。
【図面の簡単な説明】
【００１３】
【図１】表示システムの全体概要図。
【図２】デジタルカメラの回路構成を示すブロック図。
【図３】テレビリモコンの操作面を示す平面図。
【図４】表示モードがデジタルカメラモードになったテレビの表示画面の表示内容を示す説明図。
【図５】画像編集処理ルーチンのフローチャート。
【図６】第１の編集段階におけるテレビの表示画面の表示内容を示す説明図。
【図７】第２の編集段階におけるテレビの表示画面の表示内容を示す説明図。
【発明を実施するための形態】
【００１４】
以下、本発明を電子カメラの一種であるデジタルスチルカメラ（以下、「デジタルカメラ」という。）を含んで構成される表示システムにおける画像編集処理方法及び画像編集処理装置に具体化した一実施形態を図１〜図７に基づいて説明する。
【００１５】
図１に示すように、本実施形態において画像編集処理システムを構成する表示システム１１は、デジタルカメラ１２と、デジタルカメラ１２にとって外部の装置となる表示装置としてのテレビ１３と、操作手段としてのテレビリモコン１４とを有している。デジタルカメラ１２は、略直方体状のカメラ本体１５を有しており、そのカメラ本体１５の上面にはレリーズボタン１６が設けられている。また、カメラ本体１５の背面側には、矩形状をなす第１の表示画面としての液晶表示モニタ（以下、「モニタ」と略す。）１７と、そのモニタ１７に表示される表示内容の切り替えやデジタルカメラ１２における各種設定の変更を行う際などにユーザにより操作されるセレクトボタン１８が設けられている。
【００１６】
図２に示すように、デジタルカメラ１２は、撮像光学系１９を通過した被写体光を撮像光学系１９の像空間側において結像した像を撮像するための撮像素子２０をカメラ本体１５内に有している。この撮像素子２０はＣＭＯＳ（Complementary Metal Oxide Semiconductor）イメージセンサなどからなり、その撮像面に結像した被写体像に対応した信号電荷を蓄積し、その蓄積した信号電荷を画素信号と呼ばれるアナログ信号として出力するようになっている。そして、撮像素子２０の出力側にはＡ／Ｄ変換回路２１と画像生成部としての信号処理回路２２とが直列に接続され、撮像素子２０から出力されたアナログ信号からなる画素信号は、Ａ／Ｄ変換回路２１においてデジタル信号に変換された後、信号処理回路２２に入力されるようになっている。
【００１７】
また、デジタルカメラ１２のカメラ本体１５内には、デジタルカメラ１２における各種動作を統括的に制御するＭＰＵ（Micro Processing Unit）２３が設けられており、このＭＰＵ２３から信号処理回路２２に対して画像処理のための各種の制御信号が入力されるようになっている。すなわち、信号処理回路２２は、デジタル化された画素信号に対してＭＰＵ２３からの制御信号に基づき各種の画像処理（例えば、露出補正処理など）を施して所定の画像信号を生成するようになっている。そして、そのように生成された画像信号は同じくＭＰＵ２３に接続されたバッファメモリとして機能する画像メモリ（図示略）に一時的に記録され、さらにカードスロット２４を介してデジタルカメラ１２に着脱可能とされた記録媒体としてのメモリカード３４に所定のフォーマット態様で記録されるようになっている。なお、ＭＰＵ２３には不揮発性メモリであるＲＯＭ（図示略）が設けられており、このＲＯＭにデジタルカメラ１２の制御処理を実行するプログラムは格納されている。
【００１８】
図２に示すように、デジタルカメラ１２のカメラ本体１５内において、ＭＰＵ２３には既述したレリーズボタン１６、モニタ１７、セレクトボタン１８、信号処理回路２２、及びカードスロット２４などの他に、ＨＤＭＩ（High Definition Multimedia Interface）インターフェース（Ｉ／Ｆ）２５が接続されている。そして、このＨＤＭＩインターフェース２５にＨＤＭＩケーブル２６の一端が接続されると共に、そのＨＤＭＩケーブル２６の他端がテレビ１３側に設けられたＨＤＭＩインターフェース（図示略）に接続されることにより、デジタルカメラ１２とテレビ１３との間では画像信号・音声信号・制御信号が双方向通信可能とされている。この点で、デジタルカメラ１２に設けられたＨＤＭＩインターフェース２５とテレビ１３側に設けられたＨＤＭＩインターフェース（図示略）は、デジタルカメラ１２とテレビ１３との間で表示画面２７上に表示される画像に関する情報をそれぞれ通信可能な通信部として機能する。
【００１９】
一方、テレビ１３は、デジタルカメラ１２のモニタ１７よりも画面サイズが大きい液晶の表示画面（第２の表示画面）２７を有する高精細テレビであり、ＨＤＭＩケーブル２６を介してデジタルカメラ１２と接続されることにより、そのデジタルカメラ１２のカードスロット２４に装着されたメモリカード３４やＭＰＵ２３のＲＯＭ（図示略）に記録されている各種の画像情報及びＭＰＵ２３によって編集処理された画像情報に対応した表示用画像を表示画面２７上に表示可能とされている。ちなみに、このテレビ１３の表示画面２７は、その画素数がデジタルカメラ１２のモニタ１７の画素数（６４０×４８０画素程度）に比して約７倍程度の情報量を表示できる高画素数（１９２０×１０８０画素程度）に設定されている。
【００２０】
また、テレビリモコン１４は、テレビ１３の表示画面２７の表示内容を切り替える際にユーザにより操作されるものであり、図３に示すように、その上面にて構成される操作面の前端部右側寄りの位置にはテレビ１３のメイン電源をオン・オフするときに操作される電源ボタン２８が設けられている。また、テレビリモコン１４の操作面上において、電源ボタン２８の左側となる位置にはテレビ１３の音量調整ボタン２９が設けられると共に、それら電源ボタン２８と音量調整ボタン２９よりも後端側となる領域にはチャンネル数に対応した１２個のチャンネル切り替えボタン３０が設けられている。
【００２１】
さらに、テレビリモコン１４の操作面上においてチャンネル切り替えボタン３０よりも後端側となる位置には上下左右各方向を向く矢印が記された円環状をなす移動キー３１が設けられると共に、その移動キー３１の中央部には円形状をなす決定キー３２が設けられている。移動キー３１は、テレビ１３の表示画面２７上に表示された画像内容のうち所定の画像（例えば、後述する編集画像としてのサンプル画像に付された識別枠画像など）を移動させる場合にユーザにより操作されるキーである。また、決定キー３２はユーザの意思決定（例えば、後述する識別枠画像で縁取られている編集画像としてのサンプル画像を確認用画像として全画面表示させるという意思決定など）を反映させた表示内容を実現させる際に操作されるキーである。
【００２２】
そして更に、図３に示すように、テレビリモコン１４の操作面上において移動キー３１よりも後端側となる位置には、青色キー３３ａ、赤色キー３３ｂ、緑色キー３３ｃ、及び黄色キー３３ｄからなる４つの着色キー３３が左側から右側に所定間隔をおいて並列配置されている。各着色キー３３（３３ａ〜３３ｄ）は、デジタルカメラ１２とテレビ１３がＨＤＭＩケーブル２６を介して接続されることにより表示モードがデジタルカメラモード（例えば図４に示す表示状態）となったテレビ１３の表示画面２７上において、デジタルカメラ１２が有する各種の機能のうち所定の機能（例えば画像編集機能など）を択一的に実現させる際に選択操作されるものである。
【００２３】
ちなみに、本実施形態のテレビリモコン１４では、一例として、青色キー３３ａが選択操作された場合には、テレビ１３の表示機能が拡大モードになり、表示画面２７上に表示された画像内容の少なくとも一部をテレビリモコン１４の操作内容に基づき拡大して表示できるようになる。また、赤色キー３３ｂが選択操作された場合には、テレビ１３の表示機能が機能設定モードになり、表示画面２７上にデジタルカメラ１２における各種の機能を設定する場合に選択する複数のメニュー項目を配列したメニュー画面が表示されるようになる。
【００２４】
また、緑色キー３３ｃが選択操作された場合には、赤色キー３３ｂの選択操作に基づき表示されているメニュー画面内に配列された複数のメニュー項目のうちで、その緑色キー３３ｃを選択操作した時点でハイライト表示されているメニュー項目に関する説明文等が表示画面２７上に表示されるようになる。そして、デジタルカメラ１２で撮像した画像がテレビ１３の表示画面２７上に表示されている状態で黄色キー３３ｄが選択操作された場合には、テレビ１３の表示機能が画像編集モードになり、撮像素子２０により撮像されてメモリカード３４に記録されている画像を複数の画像編集条件により編集処理して表示できるようになる。
【００２５】
次に、デジタルカメラ１２のＭＰＵ２３が実行する画像編集処理ルーチンの概要を図５のフローチャートを参照しながら以下簡単に説明する。
さて、ＭＰＵ２３は、ＨＤＭＩケーブル２６を介してテレビ１３に接続されたデジタルカメラ１２が電源ＯＮの状態において、テレビリモコン１４の黄色キー３３ｄが選択操作されると、図５に示す画像編集処理ルーチンを開始する。
【００２６】
まず、ステップＳ１において、ＭＰＵ２３は、デジタルカメラ１２がＨＤＭＩケーブル２６を介して接続されたテレビ１３における表示画面２７の画素数を、ＨＤＭＩケーブル２６を介したテレビ１３との間での情報通信に基づき判別する。そして、次のステップＳ２において、先のステップＳ１で判別した表示画面２７の画素数は「画素数≦７２０×４８０」であるか否かを判定し、その判定結果が肯定判定（ＹＥＳ）の場合には、ステップＳ３に移行する。そして、このステップＳ３において、表示画面２７上に同時に表示させる編集画像の画像数Ｎとして「Ｎ＝３」を設定した後、その処理をステップＳ７に移行する。
【００２７】
一方、ステップＳ２における判定結果が否定判定（ＮＯ）の場合には、ステップＳ４に移行する。そして、このステップＳ４において、表示画面２７の画素数は「画素数≦１２８０×７２０」であるか否かを判定し、その判定結果が肯定判定（ＹＥＳ）の場合には、ステップＳ５に移行する。そして、このステップＳ５において、表示画面２７上に同時に表示させる編集画像の画像数Ｎとして「Ｎ＝４」を設定した後、その処理をステップＳ７に移行する。また、ステップＳ４における判定結果が否定判定（ＮＯ）の場合には、ステップＳ６に移行する。そして、このステップＳ６において、表示画面２７上に同時に表示させる編集画像の画像数Ｎとして「Ｎ＝５」を設定した後、その処理をステップＳ７に移行する。
【００２８】
そして、ステップＳ７において、ＭＰＵ２３は、第１の編集段階でテレビ１３の表示画面２７上に表示させる表示用画像の画像信号を生成する。すなわち、その時点でテレビ１３の表示画面２７上に全画面表示されている画像を画像編集処理が施される対象である元画像とし、その元画像を複数の画像編集条件により編集した場合の複数の小さな編集画像を、全画面表示の元画像上に横並びで重畳させた画像の画像信号を生成する。この場合のテレビ１３の表示画面２７の画素数（１９２０×１０８０）によれば、ステップＳ６では編集画像の画像数Ｎとして「Ｎ＝５」が設定されるので、表示画面２７上には５つの編集画像が表示されることになる。
【００２９】
具体的には、例えば図６に示すように、その時点で全画面表示されている元画像４２を編集処理の種類が異なる複数（５つ）の画像編集条件で各々編集した場合の複数（５つ）の第１のサンプル画像（編集画像）４３Ａ〜４３Ｅを全画面表示の元画像４２の上に横並びで重畳させた表示用画像の画像信号を、画像生成部としての信号処理回路２２に生成させる。なお、図６に示すように、この場合の表示用画像の中には、各第１のサンプル画像（編集画像）４３Ａ〜４３Ｅの編集項目名を配列表示する編集メニュー欄４４と、元画像４２の撮像日時や撮像場所等に関する情報を配列表示する画像情報欄４５が元画像４２の左右に表示されるようになっている。
【００３０】
ちなみに、本実施形態では、図６に示すように、編集処理の種類として、露出補正、ホワイトバランス（ＷＢ）、輪郭強調、フィルター効果、赤目補正という５種類の編集項目が、画像編集条件として編集メニュー欄４４に表示される。そして、第１の編集段階では、表示画面２７上に向かって左から右へ、露出補正、ホワイトバランス（ＷＢ）、輪郭強調、フィルター効果、赤目補正という５種類の編集処理を元画像４２に各々施した場合の５つの第１のサンプル画像４３Ａ〜４３Ｅが択一的に選択可能な表示態様で表示されるようになっている。
【００３１】
なお、この場合における５つの第１のサンプル画像４３Ａ〜４３Ｅのうち、図６で最も左端に表示される第１のサンプル画像４３Ａは、ＭＰＵ２３が最適と判断した条件により露出補正処理が施された画像であり、その一つ右隣に表示される第１のサンプル画像４３Ｂは、ＭＰＵ２３が最適と判断した条件によりホワイトバランス調整が施された画像である。また、その第１のサンプル画像４３Ｂの更に一つ右隣で各サンプル画像の中央に表示される第１のサンプル画像４３Ｃは、ＭＰＵ２３が最適と判断した条件により輪郭の強調がなされた画像であり、その第１のサンプル画像４３Ｃの更に一つ右隣に表示される第１のサンプル画像４３Ｄは、ＭＰＵ２３が最適と判断した条件によりフィルター処理を施した画像である。そして、図６で最も右端に表示される第１のサンプル画像４３Ｅは、ＭＰＵ２３が最適と判断した条件により赤目補正が施された画像である。
【００３２】
また、この場合に、編集メニュー欄４４に表示される編集項目数及びその編集項目数と対応するように全画面表示の元画像４２上に横並びで重畳表示される第１のサンプル画像４３Ａ〜４３Ｅの画像数は、ＭＰＵ２３が表示画面２７の画素数をモニタ１７の画素数との対比に基づき先のステップＳ１〜Ｓ６において判別した結果に従い決定される。この点で、ＭＰＵ２３は、表示画面２７の画素数を判別する判別部及び表示用画像に含める編集画像（第１のサンプル画像４３Ａ〜４３Ｅ）の数を表示画面２７の画素数に基づき制御する編集制御部として機能する。
【００３３】
ちなみに、ステップＳ３において画像数Ｎとして「Ｎ＝３」を設定した場合には、表示画面２７上の編集メニュー欄４４に表示される編集項目数及びその編集項目数と対応するように全画面表示の元画像４２上に横並びで重畳表示される第１のサンプル画像の画像数は３種類となる。そして、この場合の表示画面２７上には、まず、露出補正、ホワイトバランス（ＷＢ）、輪郭強調という３種類の編集処理を元画像４２に各々施した場合の３つの第１のサンプル画像４３Ａ〜４３Ｃが択一的に選択可能な表示態様で表示される。そして、その状態からテレビリモコン１４の移動キー３１が右カーソル移動するように操作されると、ホワイトバランス（ＷＢ）、輪郭強調、フィルター効果という３種類の編集処理に対応した次の３つの第１のサンプル画像４３Ｂ〜４３Ｄに表示内容が切り替わり、更に同様の右カーソル移動操作が続くと、次には輪郭強調、フィルター効果、赤目補正という３種類の編集処理に対応した次の３つの第１のサンプル画像４３Ｃ〜４３Ｅに表示内容が切り替わるようになっている。
【００３４】
さらに、本実施形態の場合、デジタルカメラ１２において第１の表示画面を構成するモニタ１７（６４０×４８０画素程度）に比して約７倍程度の情報量を表示できる高画素数（１９２０×１０８０画素程度）のテレビ１３の表示画面（第２の表示画面）２７には、第１のサンプル画像４３Ａ〜４３Ｅを９つ程度までは同時に表示可能である。そのため、表示画面２７上に各種の編集処理を施した場合の編集画像として同時に表示される第１のサンプル画像の画像数Ｎについては「Ｎ≦９」という設定範囲内で変更可能である。
【００３５】
また、図６に示す第１の編集段階で表示される表示用画像において、横並び表示の５つの第１のサンプル画像４３Ａ〜４３Ｅのうち一つのサンプル画像（例えば、左端の露出補正のサンプル画像４３Ａ）を縁取る枠画像は他のサンプル画像を縁取る枠画像とは枠の色が異なる等して識別可能な識別枠画像４３ａとされている。そして、ＭＰＵ２３は、以上のように生成した第１の編集段階で表示される表示用画像の画像信号をテレビ１３側にＨＤＭＩインターフェース２５を介して送信した後、その処理を次のステップＳ８に移行する。
【００３６】
すると、次のステップＳ８において、ＭＰＵ２３は、ステップＳ７の処理終了後に移動キー３１が各第１のサンプル画像４３Ａ〜４３Ｅのうち一つのサンプル画像４３Ａ〜４３Ｅに付された識別枠画像４３ａの位置を変更させるために押されていないか否かを判定する。そして、ＭＰＵ２３は、移動キー３１が押されている（ステップＳ８＝Ｎｏ）と判定した場合には、その処理を再びステップＳ７に戻し、移動キー３１の操作内容に応じて識別枠画像４３ａの位置を変更した新たな表示用画像の画像信号を生成し、その画像信号をテレビ１３側に送信する。その一方、移動キー３１は押されていない（ステップＳ８＝Ｙｅｓ）と判定した場合、ＭＰＵ２３は、その処理を次のステップＳ９に移行する。
【００３７】
すると、次のステップＳ９において、ＭＰＵ２３は、ステップＳ８の処理終了後に決定キー３２が押されたか否かを判定する。そして、ＭＰＵ２３は、決定キー３２は押されていない（ステップＳ９＝Ｎｏ）と判定した場合には、その処理を再びステップＳ７に戻す。その一方、決定キー３２が押された（ステップＳ９＝Ｙｅｓ）と判定した場合、ＭＰＵ２３は、その処理を次のステップＳ１０に移行する。
【００３８】
すると、次のステップＳ１０において、ＭＰＵ２３は、第２の編集段階でテレビ１３の表示画面２７上に表示させる表示用画像の画像信号を生成する。すなわち、図７に示すように、先のステップＳ９で決定キー３２が押圧された時点で識別枠画像４３ａが付されていた第１のサンプル画像（この場合は、図６において識別枠画像４３ａが付されていた第１のサンプル画像４３Ａ）を全画面表示した確認用画像４６の上に、その確認用画像４６における編集処理の種類（例えば、露出補正）での編集処理の程度（例えば、露出の強弱レベル）が異なる画像編集条件により編集した場合の複数（この場合も、画像数Ｎ＝５に設定されているので５つ）の小さな第２のサンプル画像（編集画像）４７Ａ〜４７Ｅを横並びで重畳させた画像の画像信号を、画像生成部としての信号処理回路２２に生成させる。
【００３９】
ちなみに、本実施形態では、図７に示すように、画像編集条件としての編集処理の種類が露出補正である場合には、露出補正の程度（露出の強弱レベル）を段階的に異ならせた５つの第２のサンプル画像４７Ａ〜４７Ｅが横並びで表示される。また、各第２のサンプル画像４７Ａ〜４７Ｅのうち一つのサンプル画像（例えば、左端の最も露出程度が弱いサンプル画像）を縁取る枠画像は他のサンプル画像を縁取る枠画像とは枠の色が異なる等して識別可能な識別枠画像４７ａとされ、その時点で識別枠画像４７ａが付された第２のサンプル画像４７Ａが確認用画像４６として全画面表示されるようになっている。
【００４０】
なお、図７に示すように、この場合の表示用画像の中には、画像編集処理を施す対象である元画像４２を全画面表示された確認用画像４６と見比べるために表示する編集前画像欄４８と、元画像４２の撮像日時や撮像場所等に関する情報を配列表示する画像情報欄４５が確認用画像４６の左右に表示されるようになっている。そして、ＭＰＵ２３は、以上のように生成した第２の編集段階での表示用画像の画像信号をテレビ１３側にＨＤＭＩインターフェース２５を介して送信した後、その処理を次のステップＳ１１に移行する。
【００４１】
すると、次のステップＳ１１において、ＭＰＵ２３は、ステップＳ１０の処理終了後に移動キー３１が各第２のサンプル画像４７Ａ〜４７Ｅのうち一つのサンプル画像に付された識別枠画像４７ａの位置を変更させるために押されていないか否かを判定する。そして、ＭＰＵ２３は、移動キー３１が押されている（ステップＳ１１＝Ｎｏ）と判定した場合には、その処理を再びステップＳ１０に戻し、移動キー３１の操作内容に応じて識別枠画像４７ａの位置及び確認用画像４６の画像内容を変更した新たな第２の編集段階での表示用画像の画像信号を生成し、その画像信号をテレビ１３側に送信する。その一方、移動キー３１は押されていない（ステップＳ１１＝Ｙｅｓ）と判定した場合、ＭＰＵ２３は、その処理を次のステップＳ１２に移行する。
【００４２】
すると、次のステップＳ１２において、ＭＰＵ２３は、ステップＳ１１の処理終了後に決定キー３２が押されたか否かを判定する。そして、ＭＰＵ２３は、決定キー３２は押されていない（ステップＳ１２＝Ｎｏ）と判定した場合には、その処理をステップＳ１０に戻す。その一方、決定キー３２が押された（ステップＳ１２＝Ｙｅｓ）と判定した場合、ＭＰＵ２３は、その処理を次のステップＳ１３に移行する。
【００４３】
そして、ステップＳ１３において、ＭＰＵ２３は、編集後画像（＝記録用画像）の保存処理（記録）を実行する。すなわち、ＭＰＵ２３は、先のステップＳ１２で決定キー３２が押圧された時点で識別枠画像４７ａが付されていた第２のサンプル画像４７Ａ〜４７Ｅ（すなわち、その時点で全画面表示されていた確認用画像４６）を編集後画像（＝記録用画像）とする画像信号を生成する。そして、ＭＰＵ２３は、そのように生成した編集後画像（＝記録用画像）の画像信号をカードスロット２４に装着されているメモリカード３４に記録させた後、この画像編集処理ルーチンを終了する。
【００４４】
そこで次に、以上のように構成された本実施形態の画像編集処理システムとしての表示システム１１の作用について、特にデジタルカメラ１２で撮像されてメモリカード３４に記録されている撮像画像を、後にテレビリモコン１４の操作によりテレビ１３の表示画面２７上で編集処理して保存する際の作用に着目して以下説明する。
【００４５】
さて、図１に示すように、ＨＤＭＩケーブル２６を介してデジタルカメラ１２とテレビ１３が接続されると、デジタル機器同士間を連携するリンク機能であるＨＤＭＩ−ＣＥＣ（High Definition Multimedia Interface - Consumer Electronics Control）が働いて、テレビリモコン１４はデジタルカメラ１２とテレビ１３の双方を操作できるようになる。そして、テレビ１３は表示モードがデジタルカメラモードとなり、デジタルカメラ１２のＭＰＵ２３は、カードスロット２４に装着されたメモリカード３４に記録されている各画像についてモニタ１７用の画像信号とは画素数及びフォントなどが異なる表示画面２７用の画像信号を生成し、その生成した表示画面２７用の画像信号をテレビ１３側にＨＤＭＩインターフェース２５及びＨＤＭＩケーブル２６を介して送信する。
【００４６】
すなわち、本実施形態の場合、ＭＰＵ２３は、一例としてデジタルカメラ１２において最後に撮像した画像（以下、「最後撮像画像」という。）上に最後撮像画像を含む最後から５番目までに撮像した５つの撮像画像のサムネイル画像を重畳させた合成画像の画像信号を生成し、その画像信号をテレビ１３側にＨＤＭＩインターフェース２５及びＨＤＭＩケーブル２６を介して送信する。すると、図４に示すように、テレビ１３の表示画面２７上には、そのデジタルカメラ１２での最後撮像画像４０が全画面表示されると共に、その最後撮像画像４０上に重畳して最後撮像画像を含む最後から５番目までに撮像した５つの撮像画像が画面の下半分の領域に小さな横並びのサムネイル画像４１Ａ〜４１Ｅとして表示される。
【００４７】
ここで、各サムネイル画像４１Ａ〜４１Ｅのうち全画面表示されている撮像画像のサムネイル画像（図４の場合は右端のサムネイル画像４１Ｅ）は、そのサムネイル画像４１Ｅを縁取る枠画像が他のサムネイル画像４１Ａ〜４１Ｄを縁取る枠画像とは枠の色が異なる等して識別可能な識別枠画像４１ａとされている。また、ユーザは、テレビリモコン１４における移動キー３１を操作することにより、その識別枠画像４１ａを横並び表示されている他のサムネイル画像４１Ａ〜４１Ｄに移動させることが可能とされている。そして、何れか一つのサムネイル画像４１Ａ〜４１Ｅに識別枠画像４１ａが付された状態において、ユーザがテレビリモコン１４における決定キー３２を押圧操作すると、その時点で識別枠画像４１ａが付されていたサムネイル画像４１Ａ〜４１Ｅだけが表示画面２７上に全画面表示され、他の各サムネイル画像４１Ａ〜４１Ｅは消滅するようになる。
【００４８】
なお、最後撮像画像４０上に各サムネイル画像４１Ａ〜４１Ｅが重畳表示された状態で、ユーザがテレビリモコン１４を使った操作を何もしないで所定時間（例えば５秒程度）が経過すると、テレビ１３の表示画面２７上には各サムネイル画像４１Ａ〜４１Ｅが消滅して最後撮像画像４０だけが全画面表示されるようになる。また、テレビリモコン１４には不図示の戻しボタンが設けられており、その戻しボタンが押圧操作されることにより、テレビ１３の表示画面２７は元の表示状態に戻るようになっている。
【００４９】
いま仮に、図４に示す表示状態において横並び表示されている各サムネイル画像４１Ａ〜４１Ｅのうち左から二番目の集合写真に係るサムネイル画像４１Ｂに識別枠画像４１ａが付されるようにテレビリモコン１４の移動キー３１が操作された後に決定キー３２が押圧操作されたとする。すると、この場合、テレビ１３の表示画面２７上には、その集合写真に係るサムネイル画像４１Ｂだけが全画面表示されるようになる。そして、その状態において、ユーザがテレビリモコン１４の着色キー３３のうち黄色キー３３ｄを選択操作すると、テレビ１３は表示画面２７上の表示モードが画像編集モードに切り替えられる。
【００５０】
すると、テレビ１３の表示画面２７上には、図６に示すように、集合写真の元画像４２が、図４に示すごとく択一的に選択可能な表示態様であったサムネイル画像４１Ａ〜４１Ｅのときの表示サイズよりも大きな表示サイズで全画面表示される。そして、そのように全画面表示された集合写真の元画像４２の上に画像編集条件（この場合は編集処理の種類）が異なる複数（本実施形態では５つ）の第１のサンプル画像（編集画像）４３Ａ〜４３Ｅが同時に横並び状態で重畳表示される。
【００５１】
そのため、ユーザは、画像編集条件（この場合は編集処理の種類）が異なる各サンプル画像４３Ａ〜４３Ｅ同士を同時に見比べることが可能となる。また、それらの各サンプル画像４３Ａ〜４３Ｅに施された編集処理内容を同じ表示画面２７上に表示された元画像４２とも見比べることにより、各種の編集処理の内容把握が容易になる。なお、図６に示すように、このとき表示画面２７上には、各第１のサンプル画像（編集画像）４３Ａ〜４３Ｅと個別に対応した５種類の編集項目が編集メニュー欄４４に横並び表示順と対応した配列順で表示されるため、ユーザは画像編集条件（この場合は編集処理の種類）の選択が容易になる。さらに、表示画面２７上には、元画像４２の撮像日時や撮像場所等に関する情報が画像情報欄４５に表示されるため、その画像情報欄４５を見ることでユーザは画像編集処理の対象となっている画像に関して各種情報を得ることができる。
【００５２】
そして、テレビ１３の表示画面２７の表示状態が図６に示す状態において、ユーザは、テレビリモコン１４における移動キー３１を操作することにより、各第１のサンプル画像４３Ａ〜４３Ｅのうち何れか一つに付されている識別枠画像４３ａの位置を他の第１のサンプル画像４３Ａ〜４３Ｅの位置に移動させることが可能とされる。そして、その状態においてユーザがテレビリモコン１４における決定キー３２を押圧操作すると、その時点で識別枠画像４３ａが付されていた第１のサンプル画像４３Ａ〜４３Ｅを全画面表示した画像編集の確認用画像４６が表示画面２７上に表示される。
【００５３】
例えば図６に示すように、テレビ１３の表示画面２７が横並び表示された各第１のサンプル画像４３Ａ〜４３Ｅのうち左端のサンプル画像４３Ａ（画像編集条件（編集処理の種類）が露出補正である編集画像）に識別枠画像４３ａが付された画像を表示した状態において、ユーザによりテレビリモコン１４の決定キー３２が押圧操作されたとする。すると、この場合、図７に示すように、テレビ１３の表示画面２７上には、集合写真の元画像４２を露出補正により編集処理した確認用画像４６が全画面表示される。そして、そのように全画面表示された確認用画像４６の上に画像編集条件（この場合は、編集処理の程度）が異なる複数（本実施形態では５つ）の第２のサンプル画像（編集画像）４７Ａ〜４７Ｅが同時に横並び状態で重畳表示される。
【００５４】
そのため、ユーザは、画像編集条件（具体的には、露出補正の強弱レベル）が異なる各サンプル画像４７Ａ〜４７Ｅ同士を同時に見比べることが可能となる。また、それらの各サンプル画像４７Ａ〜４７Ｅ及び確認用画像４６に施された編集処理内容を同じ表示画面２７上の編集前画像欄４８に表示された元画像４２と見比べることにより、各々の編集処理の諾否判断が容易になる。したがって、ユーザは、各サンプル画像４７Ａ〜４７Ｅ同士を同時に見比べることにより画像編集条件（この場合は、露出補正に係る編集処理の程度）が最適と判断できる第２のサンプル画像（編集画像）４７Ａ〜４７Ｅを記録用画像として容易に選択可能となる。
【００５５】
しかも、この場合において、確認用画像４６は、その確認用画像４６と対応する第２のサンプル画像４７Ａ〜４７Ｅが他のサンプル画像と共に択一的に選択可能な表示態様で表示される場合の表示サイズよりも大きな表示サイズで全画面表示される。そのため、ユーザは、大きな表示サイズの確認用画像４６を見ることにより、元画像４２に対する画像編集処理の程度の良否判断が容易になる。
【００５６】
また、テレビ１３の表示画面２７の表示状態が図７に示す状態において、ユーザが、テレビリモコン１４における移動キー３１を操作して識別枠画像４７ａの位置を移動させると、新たな位置で識別枠画像４７ａが囲み表示した第２のサンプル画像４７Ａ〜４７Ｅと対応する新たな確認用画像４６が表示画面２７上に全画面表示されるようになる。そして、図７に示す表示状態で、ユーザが決定キー３２を押圧操作すると、ＭＰＵ２３が記録制御部として機能することにより、その時点で識別枠画像４７ａが付されると共に確認用画像４６として全画面表示されていた第２のサンプル画像（編集画像）４７Ａ〜４７Ｅが記録用画像としてメモリカード３４に記録される。
【００５７】
以上のように本実施形態のデジタルカメラ１２のＭＰＵ２３は、通信部として機能するＨＤＭＩインターフェース２５とテレビ１３側の通信部であるＨＤＭＩインターフェースとの間で表示画面２７上に表示させる表示用画像に関する情報（画像信号）を通信することにより、その表示画面２７上での表示内容を制御する表示制御部として機能する。そして、本実施形態では、こうした通信部として機能するＨＤＭＩインターフェース２５と、画像生成部として機能する信号処理回路２２と、上記した判別部、編集制御部、表示制御部、及び記録制御部として機能するＭＰＵ２３とにより、画像編集処理システムとしての表示システム１１における画像編集処理装置が構成されている。したがって、この点で、かかるＨＤＭＩインターフェース２５と信号処理回路２２とＭＰＵ２３をカメラ本体１５内に有する構成のデジタルカメラ１２は上記画像編集処理装置を備えているといえる。
【００５８】
以上説明した本実施形態によれば、以下に示す効果を得ることができる。
（１）デジタルカメラ１２と外部の表示装置であるテレビ１３とがＨＤＭＩインターフェース２５を介して情報通信することにより、そのデジタルカメラ１２のモニタ１７よりも画素数が多いテレビ１３の表示画面２７上に、元画像４２を複数の異なる画像編集条件により編集した場合の多数の編集画像（サンプル画像４３Ａ〜４３Ｅ，４７Ａ〜４７Ｅ）を、表示画面２７上に同時に表示できる。すなわち、本実施形態では、画像編集条件の異なる編集画像（サンプル画像４３Ａ〜４３Ｅ，４７Ａ〜４７Ｅ）を、デジタルカメラ１２のモニタ１７では２つ程度しか表示できないのに対し、テレビ１３の表示画面２７では５つも横並びで選択可能な表示態様に表示できる。したがって、所望の画像編集条件（編集処理の種類、編集処理の程度）による画像編集処理を迅速且つ容易に行うことができる。
【００５９】
（２）テレビ１３の表示画面２７上には複数の編集画像としての各サンプル画像４３Ａ〜４３Ｅ，４７Ａ〜４７Ｅが画像編集処理の対象である元画像４２と共に表示されるので、同じ画面上で元画像４２と見比べすることにより各サンプル画像４３Ａ〜４３Ｅ，４７Ａ〜４７Ｅにおける編集処理の状態を容易に把握することができる。
【００６０】
（３）デジタルカメラ１２がＨＤＭＩインターフェース２５を介して接続される外部の表示装置としてのテレビ１３が変わった場合でも、そのテレビ１３の表示画面２７の画素数に基づき、ＭＰＵ２３が表示画面２７上に表示させる編集画像（サンプル画像４３Ａ〜４３Ｅ，４７Ａ〜４７Ｅ）の数を適宜に制御するので、画像編集処理を迅速且つ容易に行うことができる。
【００６１】
（４）表示画面２７上に選択可能な表示態様で表示された各第２のサンプル画像４７Ａ〜４７Ｅのうち一つのサンプル画像を、その選択可能な表示態様のときの表示サイズよりも大きい表示サイズである全画面表示の確認用画像４６にして編集処理内容を確認できるので、記録用画像として選択する際の信頼性を向上することができる。
【００６２】
（５）表示画面２７上で識別枠画像４３ａ，４７ａの位置をテレビリモコン１４の移動キー３１の操作により移動させることで、複数の編集画像（サンプル画像４３Ａ〜４３Ｅ，４７Ａ〜４７Ｅ）の表示状態は維持したままで確認用画像４６を切り替え表示して編集処理内容の確認を迅速且つ容易に行うことができる。
【００６３】
なお、上記実施形態は以下のような別の実施形態に変更してもよい。
・上記実施形態において、表示画面２７上に同時に表示させる編集画像の画像数Ｎを設定する場合には、表示画面２７の画素数という判別要素に加えて、表示画面２７の大きさという判別要素を考慮して決定した画像数に設定してもよい。
【００６４】
・上記実施形態において、画像編集条件である編集処理の種類は、露出補正、ホワイトバランス（ＷＢ）、輪郭強調、フィルター効果、赤目補正という５種類の編集項目に限定されない。少なくとも１種類の編集項目であって編集処理の程度の違い（露出補正の強弱レベルの違いなど）を表示する複数の第２のサンプル画像４７Ａ〜４７Ｅが選択可能に表示されるのであれば、画像編集条件の項目数は任意に変更可能である。
【００６５】
・上記実施形態において、表示画面２７上には各サンプル画像４３Ａ〜４３Ｅ，４７Ａ〜４７Ｅと共に元画像４２が同時に表示されない構成であってもよい。すなわち、各サンプル画像４３Ａ〜４３Ｅ，４７Ａ〜４７Ｅが互いに見比べての選択可能に表示されていればよい。
【００６６】
・上記実施形態において、表示画面２７上には確認用画像４６が全画面表示されることなく、記録用画像の選択のための複数の編集画像（第２のサンプル画像４７Ａ〜４７Ｅ）が選択可能な表示態様で表示されているたけであってもよい。
【００６７】
・上記実施形態において、表示画面２７上において、複数の第１のサンプル画像４３Ａ〜４３Ｅは元画像４２の上に重畳表示されずに、元画像４２の表示領域の外側領域に表示される表示態様であってもよい。
【００６８】
・上記実施形態において、複数の編集画像（サンプル画像４３Ａ〜４３Ｅ，４７Ａ〜４７Ｅ）の大きさ及び形状については、実施形態における小さな矩形状のものに限定されず、任意の大きさ及び形状であってもよい。
【００６９】
・上記実施形態において、デジタルカメラ１２とテレビ１３とがＨＤＭＩケーブル２６を介して接続された状態でテレビリモコン１４の操作によりテレビ１３の表示機能を画像編集モードにする場合には、黄色キー３３ｄ以外のキー、例えば他の着色キー３３（３３ａ，３３ｂ，３３ｃ）等を選択操作する設定であってもよい。
【００７０】
・上記実施形態において、テレビリモコン１４の代わりに、デジタルカメラ１２の背面側に設けられたセレクトボタン１８を、識別枠画像４３ａ，４７ａを移動させたり、画面表示を切り替えたりする際の操作手段として使用してもよい。
【００７１】
・上記実施形態において、デジタルカメラ１２とテレビ１３との間に、通信部として機能するＨＤＭＩインターフェースと、画像生成部として機能する信号処理回路と、各種の制御部として機能するＭＰＵとを備えて構成される制御処理ユニットを画像編集処理装置として配置し、その制御処理ユニット（画像編集処理装置）に対してデジタルカメラ１２とテレビ１３とをＨＤＭＩケーブル２６を介して各々接続することにより、画像編集処理システムを構成するようにしてもよい。
【００７２】
・上記実施形態において、デジタルカメラ１２とテレビ１３とをＨＤＭＩケーブル２６を介した有線接続によらずに無線接続により画像信号・音声信号・制御信号を双方向通信可能とするようにしてもよい。
【００７３】
・上記実施形態において、表示装置は、デジタルカメラ１２のモニタ１７よりも画面のサイズが小さい表示画面を有する表示装置、例えば画像信号に基づいた画像内容を小さな表示画面上に表示すると共に、その表示画面上の画像内容を大きなスクリーンなどに投影表示させるプロジェクタであってもよい。その表示装置（プロジェクタ）における表示画面の画素数が高解像度となるように設定されていれば、スクリーンには多数の編集画像を投影表示することができる。
【符号の説明】
【００７４】
１１…表示システム（画像編集処理システム）、１２…デジタルカメラ（電子カメラ）、１３…テレビ（表示装置）、１７…モニタ（第１の表示画面）、２２…信号処理回路（画像生成部）、２３…画像編集処理装置を構成するＭＰＵ（判別部、編集制御部、表示制御部、記録制御部）、２５…画像編集処理装置を構成するＨＤＭＩインターフェース（通信部）、２７…表示画面（第２の表示画面）、３４…メモリカード（記録媒体）、４２…元画像、４３Ａ〜４３Ｅ…第１のサンプル画像（編集画像）、４６…確認用画像、４７Ａ〜４７Ｅ…第２のサンプル画像（編集画像）。
【図１】
2010213216.tif 000003
【図２】
2010213216.tif 000004
【図３】
2010213216.tif 000005
【図４】
2010213216.tif 000006
【図５】
2010213216.tif 000007
【図６】
2010213216.tif 000008
【図７】
2010213216.tif 000009